(57)【特許請求の範囲】
【請求項１】
遊技機に設けられた電子部材が稼動した稼動時間を計測する稼動時間計測手段と、
前記電子部材の動作環境を表す稼動状況を特定する稼動状況特定手段と、
前記稼動時間計測手段により計測された稼動時間を、前記稼動状況特定手段が特定した稼動状況に応じた負荷時間として補正する補正手段と、
前記補正手段が補正した負荷時間を累積負荷時間として累積する負荷時間累積手段と、
前記負荷時間累積手段が累積した累積負荷時間を記憶する累積負荷時間記憶手段と、
前記稼動状況特定手段が特定した稼動状況の変化を検出する状況変化検出手段と、
を備え、前記補正手段は、前記状況変化検出手段により何れかの稼動状況から異なる稼動状況への変化が検出されたときに、前回の負荷時間の算出時点からの前記稼動時間を前記負荷時間に補正する処理を実行する一方、異なる稼動状況への変化が検出されなかったときは、前記稼動時間を前記負荷時間に補正する処理を実行しないようにすることを特徴とする遊技機用の負荷時間計測装置。
【請求項２】
前記電子部材の温度を計測する温度計測手段を備え、
前記稼動状況特定手段が特定する稼動状況を表す指標として、少なくとも前記温度計測手段による計測温度が設定されていることを特徴とする請求項１に記載の遊技機用の負荷時間計測装置。
【請求項３】
前記稼動時間を補正して前記負荷時間を算出する際に適用される補正値を前記稼動状況毎に記憶する補正値記憶手段を備え、
前記補正手段は、前記補正値を含む所定の補正式に前記稼動時間を代入して前記負荷時間を算出することを特徴とする請求項１又は２に記載の遊技機用の負荷時間計測装置。
【発明の詳細な説明】
【技術分野】
【０００１】
本発明は、遊技機の負荷時間を計測するための負荷時間計測装置に関する。
【背景技術】
【０００２】
従来より、各種の遊技機を設置する遊技場では、既存の遊技機を撤去して新しい遊技機を導入する、いわゆる新台入替が行われることがある。このような新台入替は、より多くの遊技客を招き入れるための営業イベントとして非常に重要視されており、多くの遊技場で集客に活用されている。一方、新台入替で撤去される遊技機については、必ずしも、壊れていたり耐用時間を過ぎている遊技機ばかりではない。撤去される遊技機の中には、機械的には、まだまだ十分に継続使用できるものが多く含まれているという実情がある。
【０００３】
撤去される遊技機に使用されていた制御基板自体や、制御基板に実装されていた種々の電子部材が取り外されてリサイクルされることがある。動作試験等を実施すれば、リサイクルする電子部材が壊れていないか確認できる。一方、電子部材の中には、交換時期や廃棄時期の目安となる耐用時間等が指定されている部材等も多くある。電子部材の残りの耐久時間の程度は、その電子部材の外観的な見た目や、その時点の動作試験の結果等のみによっては的確に判断できない場合が多い。上記のような動作試験に合格していても、その後、比較的早い時期に耐用時間を迎えて壊れてしまうこともある。
【０００４】
そこで、撤去される遊技機の電子部材をリサイクルできるか否かの判断指標を提示することで、効率的なリサイクルを可能とする装置の提案がなされている（例えば、特許文献１参照。）。この装置は、対応する遊技機の累積通電時間を蓄積しておき、その後、その遊技機の撤去時に上記の判断指標として累積通電時間を提示する装置である。
【０００５】
しかしながら、前記従来のリサイクルの判断指標の提示装置では、次のような問題がある。すなわち、遊技機に組み込まれた各種の電子部材の消耗度合いは、動作環境に応じて大きく異なり、累積通電時間が同程度であっても必要な性能が維持され得る残りの時間が大きく相違することがある。そのため、提示された累積通電時間のみによって、電子部材がリサイクル可能か否か判断したり、電子部材の交換時期を判断したりすることはリスクを伴う。安全マージンを十分に確保するため、まだまだ十分に使える電子部材を廃棄したり、交換する必要が生じているという問題がある。
【先行技術文献】
【特許文献】
【０００６】
【特許文献１】特開２００４−２６１２６８号公報
【発明の概要】
【発明が解決しようとする課題】
【０００７】
本発明は、前記従来の問題点に鑑みてなされたものであり、遊技機に組み込まれた各種部材について、残りの耐用時間の度合いを精度高く示す判断指標を提示する遊技機用の負荷時間計測装置を提供しようとするものである。
【課題を解決するための手段】
【０００８】
本発明は、遊技機に設けられた電子部材が稼動した稼動時間を計測する稼動時間計測手段と、
前記電子部材の動作環境を表す稼動状況を特定する稼動状況特定手段と、
前記稼動時間計測手段により計測された稼動時間を、前記稼動状況特定手段が特定した稼動状況に応じた負荷時間として補正する補正手段と、
前記補正手段が補正した負荷時間を累積負荷時間として累積する負荷時間累積手段と、
前記負荷時間累積手段が累積した累積負荷時間を記憶する累積負荷時間記憶手段と、
前記稼動状況特定手段が特定した稼動状況の変化を検出する状況変化検出手段と、
を備え、前記補正手段は、前記状況変化検出手段により何れかの稼動状況から異なる稼動状況への変化が検出されたときに、前回の負荷時間の算出時点からの前記稼動時間を前記負荷時間に補正する処理を実行する一方、異なる稼動状況への変化が検出されなかったときは、前記稼動時間を前記負荷時間に補正する処理を実行しないようにすることを特徴とする遊技機用の負荷時間計測装置にある（請求項１）。
【０００９】
本発明の遊技機用の負荷時間計測装置が備える補正手段は、前記稼動状況特定手段により特定された稼動状況に応じて、前記計測手段が計測した稼動時間を補正して前記負荷時間を算出する。この負荷時間は、前記負荷時間累積手段により累積され、前記累積負荷時間記憶手段により累積負荷時間として記憶される。
【００１０】
この累積負荷時間に基づけば、前記稼動状況の履歴を加味して、遊技機に組み込まれた各種部材の交換時期やリサイクルの可否等を判断できる。
【００１１】
また、本発明における累積負荷時間は、対応する遊技機の過去の稼動状況が反映された時間となっている。そのため、本発明の遊技機用の負荷時間計測装置では、電子部材のリサイクルの可否や交換時期を判断するに当たって、遊技機の稼動状況の履歴情報自体は必須ではない。それ故、前記遊技機用の負荷時間計測装置では、前記累積負荷時間のほかに、前記稼動状況の履歴情報を別途記憶しておく必要がない。
【００１２】
また、前記補正手段は、前記稼動時間計測手段が計測した稼動時間が予め定められた単位稼動時間となったとき、その時点で前記稼動状況特定手段により特定された稼動状況に応じて稼動時間を補正して前記負荷時間を算出することが好ましい。
この場合には、前記稼動時間が前記単位稼動時間に到達する毎に前記稼動状況を特定すれば良く、前記稼動状況を常時、特定し続ける必要がなくなる。
【００１３】
また、前記稼動状況特定手段が特定した稼動状況の変化を検出する状況変化検出手段を備え、
前記補正手段は、前記状況変化検出手段により何れかの稼動状況から異なる稼動状況への変化が検出されたときに、前記稼動時間を前記負荷時間に補正する。
【００１４】
前記稼動状況として、例えば、４０〜５０℃、５０〜６０℃、６０〜７０℃等の温度範囲を設定する一方、新たに特定された稼動状況が属する温度範囲が変動したときに、前記稼動状況の変化を検出することができる。さらに、例えば、１℃単位で温度を計測する一方、計測温度が５０℃から５１℃に変わったときに、前記稼動状況の変化を検出することも良い。
【００１５】
遊技機の多くでは、電源投入後、しばらくすると略一定の動作温度となる等、略一定の稼動状況に移行する可能性が高い。それ故、上記のように稼動状況の変化に応じて稼動時間を補正する場合には、補正の実行回数を低減できる可能性がある。例えば、動作温度を稼動状況として設定すると共に、稼動状況が変化したときに稼動時間を補正するように前記補正手段を構成すれば、上記のように略一定の動作温度に安定した後では補正を頻繁に実行する必要がなく、処理負担を軽減できる。
【００１６】
また、前記電子部材の温度を計測する温度計測手段を備え、
前記稼動状況特定手段が特定する稼動状況を表す指標として、少なくとも前記温度計測手段による計測温度が設定されていることが好ましい（請求項２）。
電子部材の多くでは、好ましい動作温度の範囲等が製品仕様として規定されている。動作温度が適正であるほど製品寿命が長くなる一方、高温下の動作が長くなると製品寿命が短くなる傾向にある。前記稼動状況として温度を設定すれば、前記稼動時間の補正を適切に実行できるようになる。
【００１７】
また、前記稼動時間を補正して前記負荷時間を算出する際に適用される補正値を前記稼動状況毎に記憶する補正値記憶手段を備え、
前記補正手段は、前記補正値を含む所定の補正式に前記稼動時間を代入して前記負荷時間を算出することが好ましい（請求項３）。
この場合には、前記所定の補正式に対して前記稼動時間を代入することにより、前記負荷時間を速やかに算出できるようになる。
【図面の簡単な説明】
【００１８】
【図１】実施例１における、適用対象のパチンコ遊技機を示す正面図。
【図２】実施例１における、適用対象のパチンコ遊技機の電気的な構成を示すブロック図。
【図３】実施例１における、負荷時間計測ＩＣ（負荷時間計測装置）の内部構成を示すブロック図。
【図４】実施例１における、温度範囲と補正値との関係を示す説明図。
【図５】実施例１における、累積負荷時間更新処理の流れを示すフロー図。
【図６】実施例１における、通信処理の流れを示すフロー図。
【図７】実施例２における、累積負荷時間更新処理の流れを示すフロー図。
【発明を実施するための形態】
【００１９】
本発明の実施の形態につき、以下の実施例を用いて具体的に説明する。
（実施例１）
本例は、遊技機の負荷時間を計測するための遊技機用の負荷時間計測装置１に関する例である。この内容について、図１〜図６を用いて説明する。
【００２０】
まず、本例の負荷時間計測装置１を組み込むパチンコ遊技機５について説明する。パチンコ遊技機５は、図示しない台枠に取り付けられた開閉扉５３と、開閉扉５３の内側の遊技盤の盤面に形成された略円形状の遊技領域５３０と、遊技領域５３０の下部両側に配置された一対のスピーカ５３１と、遊技領域５３０の下側に設けられた上皿５３５及び下皿５３７と、上皿５３５の右下に配置された発射ハンドル５３４と、を備えている。
【００２１】
上皿５３５は、入賞に応じて払い出された賞球や、貸玉等を受け入れるための受け皿であり、遊技者側に張り出すように形成されている。上皿５３５の玉は、図示しない供給通路を経由して発射装置６２１へ供給されるようになっている。
下皿５３７は、上皿５３５の玉が一杯になったときに賞球を払い出したり、遊技者の操作に応じて上皿５３５の玉を回収するための受け皿である。
【００２２】
遊技領域５３０は、図１のごとく、遊技媒体であるパチンコ玉が流下する領域である。遊技領域５３０には、液晶表示部５９０を含む表示器５９を中心として、左側に通過ゲート５４１等が配置され、下側に始動口５２や大入賞装置５６等が配置されている。遊技領域５３０の最下部には、入賞することなく流下した玉を回収するための玉排出口５３８が開口している。
【００２３】
表示器５９は、図１のごとく、液晶表示部５９０のほか、その下側に配置された特図保留表示部５９２を備えている。液晶表示部５９０は、横並びの３箇所の領域でそれぞれ図柄を変動表示する特図表示手段としての機能を備えている。特図保留表示部５９２は、大当たり判定用に保留された抽選用乱数である特図保留（保留乱数）の個数の表示部である。
【００２４】
液晶表示部５９０は、大当たり抽選結果の報知演出を実行するに当たって、まず、３つの数字図柄を変動表示させ、その後、停止表示した数字図柄の組合せによって判定結果を報知する。大当たり当選の場合には、「７７７」や「３３３」などのゾロ目の数字図柄の組合せよりなる大当たり図柄（当選図柄）を停止表示させる。大当たり図柄が停止表示されると、大当たり状態が発生する。大当たり状態は、大入賞装置５６が開放状態となるラウンド（ラウンド遊技）が複数回実行される最も有利な遊技状態である。
【００２５】
次に、パチンコ遊技機５の電気的な構成について、図２を用いて説明する。パチンコ遊技機５は、主制御基板に設けられた主回路６０を中心として構成されている。主回路６０に対しては、玉の払出を制御する払出制御回路６１、玉の打込を制御する発射制御回路６２、遊技演出を制御する副制御回路６３、液晶表示部５９０を制御する表示制御回路６４、入賞玉あるいは通過玉の検出器７１〜７３、始動口（電チュー）５２を開放する電チューソレノイド７６、大入賞装置５６を開放させる大入賞ソレノイド７５、特図保留表示部５９２、普図表示部５８１、普図保留表示部５８２、及び電力供給のための電源回路６６等が電気的に接続されている。
【００２６】
主回路６０は、ＣＰＵ（Central Processing Unit）６０１、記憶素子であるＲＯＭ（Read Only Memory）６０２・ＲＡＭ（Random Access Memory）６０４、及び入出力インタフェースをなすＩ／Ｏ（Input/Output）６０５等を備えている。
【００２７】
入賞玉あるいは通過玉の検出器としては、通過ゲート５４１（図１）の通過玉を検出するゲート通過検出器７１、始動口５２への入賞玉を検出する始動入賞検出器７２、及び大入賞装置５６への入賞玉を検出する大入賞検出器７３がある。
電チューソレノイド７６は、始動口５２の可動羽根５２１を開閉するためのソレノイドである。
大入賞ソレノイド７５は、大入賞装置５６の蓋部材５６１を回動駆動して、大入賞装置５６を入賞可能な開放状態を設定するソレノイドである。
【００２８】
払出制御回路６１は、主回路６０からの指示を受けて払出装置６１１を制御し、所定数の玉の払出を実行させる制御回路である。
発射制御回路６２は、発射ハンドル５３４の操作量に応じて発射装置６２１を制御することで、玉の打ち出し強さをコントロールする制御回路である。
【００２９】
副制御回路６３は、副制御基板に設けられている。副制御回路６３には、駆動アンプを含むスピーカ装置６３１、装飾ランプ５３６などの装飾ランプ類６３２、及び液晶表示部５９０による演出等を制御する表示制御回路６４が電気的に接続されている。副制御回路６３は、ＣＰＵ（Central Processing Unit）６３１、記憶素子であるＲＯＭ（Read Only Memory）６３２・ＲＡＭ（Random Access Memory）６３４、及び入出力インタフェースをなすＩ／Ｏ（Input/Output）６３５等を含む回路である。
なお、主回路６０、払出制御回路６１、発射制御回路６２、副制御回路６３、及び、表示制御回路６４のそれぞれは、基板ボックスに個別に収納されている。これにより、外部から各回路にアクセスされることを抑制し、不正行為が行われることを防止している。
【００３０】
本例の副制御基板には、上記の構成のほかに、負荷時間計測装置１である負荷時間計測ＩＣ（以下、負荷時間計測ＩＣ１）、及び温度センサ１００（温度計測手段）が実装されている。また、負荷時間計測ＩＣ１に電気的に接続された無線通信用のアンテナ１０１が外部接続されている。なお、本例では、温度センサ１００としてチップサーミスタを採用しており、副制御回路６３に設けられたコンデンサの温度を計測している。また、本例のアンテナ１０１に代えて、副制御基板に表面実装可能なチップアンテナを採用することも良い。
【００３１】
次に、負荷時間計測ＩＣ１について説明する。負荷時間計測ＩＣ１には、図３のごとく、温度センサ１００の計測温度を取り込むセンサ入力Ｉ／Ｆ１１、各種の演算処理を実行する演算処理部１２、外部のアンテナ１０１が接続された無線通信部１３、メモリー部１４、通電時間計測部１５、クロック信号を発生するクロック部１７、及び外部電源Ｖｉｎと内部電源Ｖｄとを切り換える電源切換部１６が設けられている。
【００３２】
電源切換部１６は、負荷時間計測ＩＣ１に設けられた各部の動作電圧Ｖｃｃの供給源として、外部電源Ｖｉｎ及び内部電源Ｖｄ（後述する）の何れか一方に切り換える手段である。電源切換部１６は、外部電源が供給されているか否かを判断し、供給されていれば外部電源に切り換える。外部電源に切換中の電源切換部１６は、通電時間計測部１５に対して通電信号を入力する。一方、外部電源が供給されていなければ、内部電源に切り換える。内部電源への切換時には、内部電源からの電力供給中に限って負荷時間計測ＩＣ１が動作する。なお、内部電源への切換時には、無線通信部１３及びメモリー部１４のみに対して選択的に電力が供給される。
【００３３】
通電時間計測部１５は、稼動時間計測手段１５１としての機能を備えている。稼動時間計測手段１５１は、電力切換部１６から通電信号を受信している間の前記クロック信号の取り込み回数を計数することで、負荷時間計測ＩＣ１の通電時間を計測する。本例では、遊技機の電源回路６６（図２参照。）が負荷時間計測ＩＣ１の外部電源として設定されている。そのため、稼動時間計測手段１５１が上記のように計測した通電時間が、副制御回路６３の稼動時間となる。
【００３４】
演算処理部１２は、稼動状況特定手段１２１、補正手段１２２、負荷時間累積手段１２３としての機能を備えている。
無線通信部１３は、負荷時間出力手段１３１、自己発電手段１３２としての機能を備えている。
メモリー部１４は、累積負荷時間を記憶する累積負荷時間記憶手段１４１、補正値記憶手段１４２としての機能を備えている。累積負荷時間記憶手段１４１は、電力供給がなくても記憶内容を維持できるように不揮発性メモリにより構成されている。
以下、各手段の内容について説明する。
【００３５】
稼動状況特定手段１２１は、温度センサ１００の計測温度を取り込み、稼動状況を特定する手段である。本例では、図４のごとく、計測温度に基づく４段階の稼動状況が設定されている。なお、本例のパチンコ遊技機５については、４０．０〜４６．９℃が最も適正な動作温度として設定されている。
補正値記憶手段１４２は、図４のごとく、４段階の稼動状況毎に補正値を記憶する手段である。例えば、４０．０〜４６．９℃の最適な稼動状況に対しては補正値１を記憶している。４７．０〜５９．９℃の稼動状況に対しては補正値１．３を記憶している。
【００３６】
補正手段１２２は、前記稼動時間計測手段１５１により計測された稼動時間を補正して負荷時間を算出する手段である。補正手段１２２は、稼動状況に応じた補正値（図４参照。）を含む所定の補正式に稼動時間を代入して負荷時間を算出する。本例では、負荷時間＝稼動時間×補正値なる補正式が設定されている。補正手段１２２は、稼動時間が１時間（単位稼動時間）に到達する毎に負荷時間を算出する。
【００３７】
負荷時間累積手段１２３は、補正手段１２２が算出した負荷時間を累積して累積負荷時間を算出する手段である。負荷時間累積手段１２３は、補正手段１２２が負荷時間を算出する毎に、累積負荷時間記憶手段１４１から累積負荷時間を読み出す。そして、読み出した累積負荷時間に新たな負荷時間を加算して新たな累積負荷時間を算出し、累積負荷時間記憶手段１４１に記憶された累積負荷時間を更新させる。なお、累積負荷時間記憶手段１４１が記憶する累積負荷時間は、パチンコ遊技機５の製品出荷時においては、ほぼゼロ時間が設定されている。
【００３８】
負荷時間出力手段１３１は、累積負荷時間記憶手段１４１が記憶する累積負荷時間を外部出力する手段である。本例の負荷時間出力手段１３１は、図示しないリーダユニットから受信した情報要求信号をトリガーとして、無線通信により累積負荷時間を出力する。本例の負荷時間出力手段１３１は、対応する副制御回路６３を特定可能なＩＤデータと共に累積負荷時間を出力する。
【００３９】
自己発電手段１３２は、リーダユニットから電磁波を受信し、電磁誘導に応じて起電力を発生させて発電する手段である。自己発電手段１３２は、前記内部電源Ｖｄとしての機能を実現している。自己発電手段１３２による電力は、電源切換部１６を介して、無線通信部１３及びメモリー部１４のみに供給される。これにより、外部電源Ｖｉｎから負荷時間計測ＩＣへの電力供給が無い状態においても、メモリー部１４に記憶された累積負荷時間の無線出力が可能となる。
【００４０】
以上のような構成の本例の負荷時間計測ＩＣ１の動作の流れについて、図５及び図６のフロー図を参照して説明する。図５は、累積負荷時間更新処理の流れを示すフロー図である。図６は、通信処理の流れを示すフロー図である。
図５の累積負荷時間更新処理では、まず、前回の更新処理の後、稼動時間計測手段１５１が計測した稼動時間が単位稼動時間である１時間に到達したか否かが判断される（Ｓ１０１）。稼動時間が単位稼動時間に到達していれば（Ｓ１０１：ＹＥＳ）、温度センサ１００の計測温度が取り込まれる（Ｓ１０２）。
【００４１】
この計測温度（稼動状況）に応じて補正値（図４参照。）が特定され（Ｓ１０３）、その補正値により稼動時間が補正されて負荷時間が算出される（Ｓ１０４）。そして、累積負荷時間記憶手段１４１が記憶する累積負荷時間にこの負荷時間を加算することで、累積負荷時間の更新が実行される（Ｓ１０５）。
【００４２】
図６の通信処理は、図示しないリーダユニットからの電磁波の受信（Ｓ２０１）に応じて処理が開始される。受信した電磁波による電磁誘導により発電がなされ、無線通信部１３とメモリー部１４の動作に必要な電力が自己発電される（Ｓ２０２）。リーダユニット側からの情報要求信号の受信に応じて（Ｓ２０３：ＹＥＳ）、メモリー部１４から累積負荷時間が読み出され、副制御回路６３を特定可能な前記ＩＤと共に無線送信される（Ｓ２０４）。
【００４３】
以上のように構成された本例の負荷時間計測ＩＣ１によれば、対応するパチンコ遊技機５が過去に経由した稼動状況の履歴が反映された累積負荷時間を外部出力可能である。この累積負荷時間に基づけば、稼動状況の履歴を加味して、つまり、実際にかかった負荷の大きさを加味して、副制御回路６３に設けられた各種の電子部材（例えばコンデンサ）の交換時期やリサイクルの可否等を精度高く判断できる。
また、本例では、副制御回路６３の負荷時間を管理でき、副制御回路６３のリサイクルを複数回行った場合にも交換時期を良好に特定できる。つまり、遊技機の負荷時間を管理する構成に比べ、電子部材単位で負荷時間を管理することで、複数回のリサイクルを実現し易くしている。
【００４４】
なお、本例では、自己発電機能を備えた負荷時間計測ＩＣ１の例であるが、自己発電機能を省くこともできる。この場合には、バックアップ電池からの電力供給を受けて動作するように構成しておくことが好ましい。
さらに、本例は、無線通信により累積負荷時間を出力する例であるが、これに代えて、外部通信のための外部コネクタを副制御基板に設けておくことも良い。この場合、外部コネクタを介して電力供給することも良い。また、累積負荷時間の出力機能を負荷時間計測ＩＣ１が有している必要はなく、記憶している累積負荷時間を負荷時間計測ＩＣ１とは異なる装置を用いて読み出す構成としてもよい。
【００４５】
また、温度センサ１００が温度を計測する対象を、副制御回路６３とする必要はなく、例えば副制御回路６３を収納した基板ボックス内の温度を温度センサ１００が計測するようにしてもよい。つまり、副制御回路６３の稼動状況を加味することができれば、温度を計測する対象は何れでもよく、例えば副制御回路６３を収納した基板ボックス又は基板ボックス周辺の温度を測定する構成とすることも可能である。つまり、電子部材の温度を計測するには、電子部材の温度を直接計測するものだけでなく、電子部材周辺の温度を計測することで電子部材の温度を間接的に計測するものが含まれる。
また、本例では、副制御基板に対して負荷時間計測ＩＣ１及び温度センサ１００が直接、実装されている。これに代えて、負荷時間計測ＩＣ１及び温度センサ１００を実装したサブ基板を設け、コネクタ等を介して副制御基板に保持させることも良い。さらに、このサブ基板にアンテナを設けることも良い。このサブ基板を取り外し可能に構成しておくことも良い。
【００４６】
なお、本例では、副制御基板に負荷時間計測ＩＣ１を設けたが、これに代えて、主制御基板や、電源回路６６を設けた電源基板（図示略）や、払出制御回路６１を設けた払出制御基板（図示略）等、他の基板に負荷時間計測ＩＣ１を設けることも良い。さらに、負荷時間計測ＩＣ１を実装した基板を新たに設け、パチンコ遊技機５の内部のどこかに配設することも良い。また、主回路６０のＣＰＵ６０１や、副制御回路６３のＣＰＵ６３１等、特定の部材の温度を直接計測することも良い。この特定の部材として、リサイクルの対象部材を設定することも良い。
【００４７】
なお、本例の図４に示した温度範囲（稼動状況）と補正値との関係は、必要に応じて適宜変更可能である。例えば、５０℃未満では補正値を１とし、５０℃以上で補正値を２としても良い。
また、本例では、単位稼動時間に到達したときの計測温度により稼動時間を補正しているが、これに代えて、単位稼動時間内の計測温度の平均を算出し、平均温度により補正することも良い。稼動時間の補正に際して、単位時間内の計測温度の最高値、あるいは最低値を加味することも良い。具体的には、上記の補正式に代えて、計測温度の最高値あるいは最低値を含めた補正式を採用することもできる。計測温度の最高値によって稼動時間を補正することもできる。
【００４８】
本例では、稼動状況を特定するための指標として温度を設定した例であるが、これに代えて、あるいは加えて、湿度、加速度（振動）、電流、電圧等の指標により稼動状況を特定しても良い。つまり、稼動状況を特定するための指標は、特に限定されるものではなく、単数及び複数を問わず用いることが可能である。例えば、温度により特定される第１の稼動状況と、湿度により特定される第２の稼動状況と、の組合せに基づいて負荷時間を算出するようにしても良い。
また、負荷時間を計測する対象の電子部材としては、コンデンサ、トランジスタ、ＣＰＵ、ＲＯＭ・ＲＡＭ、ハードディスク、液晶ディスプレイ、各種部品を実装した回路基板等の電子部品のほか、基板ボックス、プリント基板、放熱板、断熱材、電子配線、ランプ類、コネクタ類など様々な部材がある。
【００４９】
例示したパチンコ遊技機とは異なるパチンコ遊技機に本発明を適用しても良く、例えば、いわゆる封入式のパチンコ遊技機に適用しても良い。また、パチンコ遊技機だけでなく、スロットマシンに適用しても良い。例えば、完全クレジット式のスロットマシンや、玉を遊技媒体としたパロット（Ｒ）等に適用しても良い。さらに、本例の負荷時間計測ＩＣ１の構成を利用すれば、貸出機や、中継器や、島毎に設置された情報端末や、管理装置等、遊技場に設置された各種の装置について、負荷時間を計測することもできる。
【００５０】
（実施例２）
本例は、実施例１の負荷時間計測ＩＣ１に基づいて、累積負荷時間の更新タイミングを変更した例である。この内容について、累積負荷時間更新処理の流れを示す図７のフロー図を参照して説明する。
本例の累積負荷時間更新処理では、まず、温度センサ１００による計測温度が取り込まれ（Ｓ３０１）、その計測温度に対応する稼動状況及び補正値が特定される（Ｓ３０２）。新たに特定された補正値と、それまでの補正値と、の比較が行われ、変化が有ったか否かが判断される（Ｓ３０３）。補正値に変化が無かった場合（Ｓ３０３：ＮＯ）については、以下のステップＳ３０４〜Ｓ３０７に渡る累積負荷時間の更新処理は実行されない。
【００５１】
一方、補正値の変化が有った場合には（Ｓ３０３：ＹＥＳ）、前回の累積負荷時間の更新時点（前回の負荷時間の算出時点）からの経過時間が特定される（Ｓ３０４）。具体的には、前回の累積負荷時間の更新時点の稼動時間計測手段１５１による稼動時間を、現在の稼動時間から差し引くことで上記の経過時間に当たる稼動時間が特定される。
【００５２】
変化前の稼動状況に対応する補正値によって、上記のように特定された経過時間を補正して負荷時間が算出され（Ｓ３０５）、累積負荷時間が加算更新される（Ｓ３０６）。その後、ステップＳ３０２において特定された補正値が記憶され（Ｓ３０７）、次回の累積負荷時間更新処理に対する備えがなされる。
【００５３】
本例の負荷時間計測ＩＣ１は、上記のように稼動状況の変化を検出する状況変化検出手段を備えている。この負荷時間計測ＩＣ１によれば、稼動状況の変化があったときにのみ、累積負荷時間の更新を行うことができる。一般に、パチンコ遊技機は、電源投入後、しばらくすると略一定の動作温度となることが多い。それ故、上記のように稼動状況の変化に応じて稼動時間を補正する場合には、補正の実行回数を低減でき、処理負担を軽減できる。
【００５４】
なお、その他の構成及び作用効果については実施例１と同様である。
なお、本例では、上記ステップＳ３０５のごとく、変化前の稼動状況に対応する補正値によって上記経過時間を補正しているが、これに代えて、変化後の稼動状況に対応する補正値によって上記経過時間を補正することもできる。
【００５５】
以上、実施例１及び２のごとく本発明の具体例を詳細に説明したが、これらの具体例は、特許請求の範囲に包含される技術の一例を開示しているにすぎない。言うまでもなく、具体例の構成や数値等によって、特許請求の範囲が限定的に解釈されるべきではない。特許請求の範囲は、公知技術や当業者の知識等を利用して前記具体例を多様に変形あるいは変更した技術を包含している。
【符号の説明】
【００５６】
１…負荷時間計測ＩＣ（負荷時間計測装置）、１００…温度センサ（温度計測手段）、１０１…アンテナ、１１…センサ入力Ｉ／Ｆ、１２…演算処理部、１２１…稼動状況特定手段、１２２…補正手段、１２３…負荷時間累積手段、１３…無線通信部、１３１…負荷時間出力手段、１３２…自己発電手段、１４…メモリー部、１４１…累積負荷時間記憶手段、１４２…補正値記憶手段、１５…通電時間計測部、１５１…稼動時間計測手段、１６…電源切換部、１７…クロック部、５…パチンコ遊技機（遊技機）、６０…主回路、６３…副制御回路
【図１】
0005775717.tif 000002
【図２】
0005775717.tif 000003
【図３】
0005775717.tif 000004
【図４】
0005775717.tif 000005
【図５】
0005775717.tif 000006
【図６】
0005775717.tif 000007
【図７】
0005775717.tif 000008